(57)【要約】【課題】ユーザ入力又はジェスチャに応答して触覚的効果を生成するユーザインタフェースを有するデバイスを提供する。【解決手段】一実施の形態では、このデバイスは、ユーザが要素のリスト内をスクロールしているという指示及び１つの要素が選択されているという指示を受信する。このデバイスは、スクロール速度を求め、スクロール速度に基づく振幅を有する触覚的効果を生成する。【選択図】図３
2014199671.tif 000002
【特許請求の範囲】
【請求項１】
ユーザインタフェースを操作する方法であって、
前記ユーザが要素のリスト内をスクロールしているという第１の指示を受信すること、
スクロール速度を求めること、及び
前記スクロール速度に基づく振幅を有する第１の触覚的効果を生成すること、
を含む、方法。
【請求項２】
前記振幅は、前記スクロール速度が下降するにつれて増大される、請求項１に記載の方法。
【請求項３】
前記振幅は、前記スクロール速度が上昇するにつれて減少される、請求項１に記載の方法。
【請求項４】
前記リストの終端が選択されているという第２の指示を受信すること、及び
前記第２の指示に応答して第２の触覚的効果を生成すること、
をさらに含み、前記第２の触覚的効果は前記第１の触覚的効果とは異なる、請求項１に記載の方法。
【請求項５】
前記第２の触覚的効果は、振幅、周波数又は持続時間から成るグループからの前記パラメータの少なくとも１つに関して前記第１の触覚的効果と比較して異なる値を有する、請求項１に記載の方法。
【請求項６】
ユーザインタフェースを操作する方法であって、
オブジェクトがユーザジェスチャによってフリックされたという指示及び前記オブジェクトが該オブジェクトをバウンスさせる終点に達したという指示を受信すること、及び
前記オブジェクトが前記終点に達すると触覚的効果を生成すること、
を含む、方法。
【請求項７】
前記触覚的効果は、動的であり、前記バウンスされているオブジェクトが静止するにつれて減少する振幅を有する、請求項６に記載の方法。
【請求項８】
ユーザインタフェースを操作する方法であって、
低振幅及び高振幅間で変動するスライダを前記ユーザインタフェース上に設けること、
前記スライダを前記高振幅に向けて動かす入力を受信すること、及び
前記スライダが前記高振幅に向かって動くにつれて増大する振幅を有する第１の動的な触覚的効果を生成すること、
を含む、方法。
【請求項９】
前記スライダを前記低振幅に向けて動かす入力を受信すること、及び
前記スライダが前記低振幅に向かって動くにつれて減少する振幅を有する第２の動的な触覚的効果を生成すること、
をさらに含む、請求項８に記載の方法。
【請求項１０】
前記スライダの状態に対応する第３の触覚的効果を生成することをさらに含む、請求項９に記載の方法。
【請求項１１】
ユーザインタフェースを操作する方法であって、
前記ユーザインタフェース上で２つの状態間の画面遷移を生成すること、及び
前記画面遷移に基づいて触覚的効果を生成すること、
を含む、方法。
【請求項１２】
前記触覚的効果は前記画面遷移中に生成される、請求項１１に記載の方法。
【請求項１３】
前記触覚的効果は前記画面遷移の完了時に生成される、請求項１１に記載の方法。
【請求項１４】
ユーザインタフェースを操作する方法であって、
前記ユーザインタフェースの少なくとも１つの項目の選択を受信すること、
前記項目がドラッグされているという指示を受信すること、及び
前記項目がドラッグされている間に第１の触覚的効果を生成すること、
を含む、方法。
【請求項１５】
前記選択が受信されると、第２の触覚的効果を生成することをさらに含む、請求項１４に記載の方法。
【請求項１６】
前記ユーザインタフェースは表面を備え、前記第１の触覚的効果は該表面をシミュレートする、請求項１４に記載の方法。
【請求項１７】
ユーザインタフェースを操作する方法であって、
前記ユーザインタフェースがスタンバイ状態に入ったという指示を受信すること、及び
前記スタンバイ状態に対応する第１の触覚的効果を生成すること、
を含む、方法。
【請求項１８】
前記触覚的効果は、動的であり、前記ユーザインタフェースが前記スタンバイ状態の終了に近付くにつれて増大するパラメータを含む、請求項１７に記載の方法。
【請求項１９】
前記終了に達すると第２の触覚的効果を生成することをさらに含む、請求項１８に記載の方法。
【請求項２０】
タッチスクリーンを有するデバイスを操作する方法であって、
前記タッチスクリーンとのユーザ対話を含むジェスチャを前記デバイス上に格納すること、及び
前記ジェスチャをシミュレートする触覚的効果を前記デバイス上で生成すること、
を含む、方法。
【請求項２１】
前記触覚的効果は、前記ジェスチャの動き部分をシミュレートするように前記タッチスクリーンの個々の部分に適用される、請求項２０に記載の方法。
【請求項２２】
前記触覚的効果は、前記ジェスチャの変化した圧力部分をシミュレートするように動的に変化する振幅を有する、請求項２０に記載の方法。
【請求項２３】
前記ジェスチャは前記デバイスをロック解除する、請求項２０に記載の方法。
【請求項２４】
前記ジェスチャは前記デバイス上でタスクを開始する、請求項２０に記載の方法。
【発明の詳細な説明】
【技術分野】
【０００１】
本発明の一実施の形態は、触覚的効果に関する。より詳細には、本発明の一実施の形態は、触覚的効果を有するユーザインタフェースに関する。
【背景技術】
【０００２】
電子装置の製造者は、ユーザにとって豊富なインタフェースを製造しようと努力している。従来の装置は、ユーザにフィードバック（手応え）を提供するために、視覚的及び聴覚的合図を用いている。いくつかのインタフェース装置において、より一般的には総括して「触覚フィードバック」又は「触覚的効果」として知られる、運動感覚フィードバック（素早い及び抵抗力フィードバック等）及び／又はタクタイル（触知的）フィードバック（振動、触感、及び熱等）もまた、ユーザに提供される。触覚フィードバックは、ユーザインタフェースを強化及び単純化するきっかけを提供し得る。具体的に、振動効果、すなわち振動触覚的効果は、ユーザに特定のイベントを通知する（alert）ために、電子装置のユーザへ合図を提供するのに有用であり得るか、又はシミュレート環境若しくは仮想環境内でより大きく感覚を集中させるために、現実的なフィードバックを提供し得る。
【０００３】
また、触覚フィードバックは、携帯電話機、携帯情報端末（ＰＤＡ）、携帯ゲーム機のような携帯電子装置、及び様々な他の携帯電子装置に、増大的に組み込まれてきた。例えば、触覚フィードバックを提供するように構成される、より大きな規模のゲームシステムで用いられる制御装置（例えば、ジョイスティック等）と同様の方法で振動することが可
能な携帯ゲームアプリケーションもある。さらに、携帯電話機及びＰＤＡのような装置は、振動によりユーザに様々な通知を提供することが可能である。例えば、携帯電話機は、振動によりユーザに着信を通知することができる。同様に、ＰＤＡは、ユーザに予定されている予定事項を通知するか、又はユーザに「行動」（"to do"）一覧事項若しくは予定されている約束事項の注意を喚起することができる。
【０００４】
携帯装置はだんだんと、物理的なボタンからタッチスクリーンオンリー型インタフェースを好むように移行している。この転換は、柔軟性の増大、部品数の減少、及び故障しやすいメカニカル・ボタンへの依存の減少を可能にし、製品設計における最新動向に沿うものである。これらのタッチスクリーンデバイスの多くは、マルチタッチジェスチャを含むユーザジェスチャを入力コマンドに変換する高度なユーザインタフェースを含む。
【発明の概要】
【０００５】
一実施の形態は、ユーザ入力又はジェスチャに応答して触覚的効果を生成するユーザインタフェースを有するデバイスである。一実施の形態では、このデバイスは、ユーザが要素のリスト内をスクロールしているという指示及び１つの要素が選択されているという指示を受信する。このデバイスは、スクロール速度を求め、スクロール速度に基づく大きさを有する触覚的効果を生成する。
【図面の簡単な説明】
【０００６】
【図１】一実施形態による携帯電話機のブロック図である。
【図２】一実施形態によるスクロールバーの対話を通じてスクロールされ得る要素のリストを含むユーザインタフェースのブロック図である。
【図３】ユーザインタフェースを通じた要素のスクロールに応答して、一実施形態による図１の携帯電話機によって行われる機能のフロー図である。
【図４】フリックされた（flicked：軽くタッチされた）オブジェクトに応答して、一実施形態による図１の携帯電話機によって行われる機能のフロー図である。
【図５】ボリュームを制御するための仮想スライダを提供するタッチスクリーンのユーザインタフェースである。
【図６】スライダの動きに応答して、一実施形態による図１の携帯電話機によって行われる機能のフロー図である。
【発明を実施するための形態】
【０００７】
一実施形態は、種々のユーザ入力及びジェスチャ又はデバイス動作に応答してユーザへの触覚的確認を提供する、触覚的にイネーブルにされるユーザインタフェースである。
【０００８】
図１は、一実施形態による携帯電話機１０のブロック図である。電話機１０は、タッチスクリーン１１を含み、メカニカル・キー／ボタン１３も含み得る。電話機１０の内部には、電話機１０上で振動を発生させる触覚フィードバックシステムがある。一実施形態では、振動は電話機１０全体で発生する。他の実施形態では、タッチスクリーン１１全体又はタッチスクリーン１１の個々の部分を含む電話機１０の特定の部分が、触覚フィードバックシステムによって、触覚的にイネーブルにされ得る。
【０００９】
触覚フィードバックシステムはプロセッサ１２を備える。プロセッサ１２には、メモリ２０と、振動アクチュエータ１８に結合されているアクチュエータ駆動回路１６とが結合されている。プロセッサ１２は、任意のタイプの汎用プロセッサであり得るか、又は特定
用途向け集積回路（「ＡＳＩＣ」）のような、触覚的効果を提供するように特別に設計されたプロセッサであり得る。プロセッサ１２は、電話機１０全体を動作させるプロセッサと同一であってもよいし、又は別個のプロセッサであってもよい。プロセッサ１２は、高レベルパラメータに基づいて、どのような触覚的効果を奏するようにさせるか、及び、触覚的効果が奏される順番を決定し得る。一般に、特定の触覚的効果を定義する高レベルパラメータは、大きさ（マグニチュード）、周波数、及び持続時間を含む。また、ストリーミングモータコマンドのような低レベルパラメータも、特定の触覚的効果を決定するために用いられ得る。触覚的効果は、該触覚的効果が生成されるときのこれらパラメータのいくらかの変動、又はユーザの対話に基づくこれらパラメータの変動を含む場合、「動的である」と見なすことができる。
【００１０】
プロセッサ１２は、駆動回路１６に制御信号を出力し、該駆動回路１６は、所望の触覚的効果をもたらすために、必要とされる電流及び電圧をアクチュエータ１８に供給するために用いられる電子要素及び回路を含む。アクチュエータ１８は、電話機１０上で振動を発生させる触覚装置である。アクチュエータ１８は、電話機１０のユーザに振動触覚力を（例えば、電話機１０のハウジングを介して）印加することが可能な、１つ又は複数の力印加機構を含み得る。アクチュエータ１８は、例えば、電磁アクチュエータ、偏心質量がモータによって動く偏心回転質量（「ＥＲＭ」）アクチュエータ、ばねに取り付けられた質量が前後に駆動されるリニア共振アクチュエータ（「ＬＲＡ」）、又は圧電ポリマー、電気活性ポリマー若しくは形状記憶合金のような「スマート材料」であり得る。メモリ装置２０は、ランダムアクセスメモリ（「ＲＡＭ」）又はリードオンリーメモリ（「ＲＯＭ」）のような、任意のタイプの記憶装置又はコンピュータ可読媒体であり得る。メモリ２０は、プロセッサ１２によって実行される命令を格納する。また、メモリ２０は、プロセッサ１２の内部に位置してもよいし、内部メモリ及び外部メモリの任意の組み合わせであってもよい。
【００１１】
タッチスクリーン１１は、タッチを認識し、またタッチセンサー面上のタッチの位置及び大きさを認識し得る。タッチに対応するデータは、プロセッサ１２又は電話機１０内の別のプロセッサへ送信され、プロセッサ１２は、そのタッチを解釈し、それに応答して触覚的効果を生成する。タッチスクリーン１１は、容量感知、抵抗感知、表面音波感知、圧力感知、光学感知等を含む任意の感知技術を用いてタッチを感知することができる。タッチスクリーン１１は、マルチタッチ接触を感知することができ、同時に生じる複数のタッチを区別することが可能であり得る。タッチスクリーン１１はさらに、ユーザが例えばキー、ダイヤル等と対話するために画像を表示することができるか又は画像を最小限だけ有するか若しくは全く有しない、タッチパッドとすることができる。
【００１２】
図１の実施形態は携帯電話機１０であるが、他の実施形態は、ユーザインタフェースを提供し且つ触覚的効果を生成することができる任意のタイプのデバイスであり得る。このデバイスは、ハンドヘルド型であってもよく、ユーザインタフェースを生成するタッチスクリーンを含んでもよい。他の実施形態では、タッチスクリーン対話のためにハンドヘルドデバイス上で触覚的効果を生成するのではなく、デバイスは、ディスプレイと、マウス、タッチパッド、ミニジョイスティック等のようなカーソル制御装置とを含むコンピュータシステムであり得る。ディスプレイはユーザインタフェースを表示し、マウス又は他のデバイスは、ユーザがデバイスを把持しているときに触覚的効果が該デバイス上で生成されるように振動アクチュエータ１８を含む。
【００１３】
図２は、一実施形態によるスクロールバー２０４の対話を通じてスクロールされ得る要素２０２のリストを含むユーザインタフェース（「ＵＩ」）２００のブロック図である。ユーザは、タッチスクリーンとの対話を通じて或いはボタンを押すか又はマウス若しくは他のインタフェースデバイスを用いることによって、スクロールバー２０４をスライドし得る。さらに、矢印２０６は、要素２０２のリストをスクロールする既知の方法で選択され得る。
【００１４】
要素２０２がスクロールされると、要素の１つが、いずれの要素が「選択されている」かを示すために反転表示される。一実施形態では、触覚的効果は、要素２０２の各要素が選択されると生成される。触覚的効果は、大きさ、周波数、及び持続時間の所定の組合せによる「バンプ（bump:ドンという衝撃、こぶ）」、「ポップ（pop）」、「クリック」、「チック（tick）」等の形態であり得る。しかしながら、スクロール速度が上昇するにつれて、一定の大きさの触覚的効果は、ユーザには一定の「バズ音（buzz）」のように感じられ、有意な情報を提供することができない可能性がある。したがって、一実施形態では、触覚的効果のボリューム／大きさは、スクロール速度が上昇するにつれて減少され、またその逆も同様である。これは、ＵＩ対話の全体的な「触覚的エネルギー」を低くて控えめなレベルに保つ。
【００１５】
図３は、ユーザインタフェースを通じた要素２０２のスクロールに応答して、一実施形態による図１の携帯電話機１０によって行われる機能のフロー図である。一実施形態では、図３、並びに以下の図４及び図６の機能は、メモリに格納されているソフトウェアによってインプリメントされ、プロセッサによって実行される。他の実施形態では、この機能は、ハードウェア、又はハードウェア及びソフトウェアの任意の組合せによって行われてもよい。
【００１６】
３０２において、ユーザが要素２０２のリスト内をスクロールしており且つ要素の１つが反転表示又は選択されているという指示を受信する。一実施形態では、要素２０２のリストは、図２のようなメニューリスト又はコンタクトのリストのようなリテラルリストであってもよいし、又は数字をスクロール／フリックによるタンブリング（tumbling）することによって変えることができるデジタル数字のスクロールリストを有する３Ｄシリンダクロックのような抽象的（abstract)なリストであってもよい。スクロールは、タッチスクリーンを通じて画面と対話することによって、上／下、左／右、斜めに若しくは円を描くようにボタンの押下／ホールドイベントを行うことによって、又は他の任意の方法によって達成され得る。
【００１７】
３０４において、要素２０２の現在のスクロール速度を求めて、これを以前のスクロール速度と比較し得る。現在のスクロール速度が上昇しているのか又は下降しているのかが判断される。
【００１８】
３０６において、要素の１つの選択に対応する触覚的効果を、現在のスクロール速度及び該現在のスクロール速度が上昇しているのか若しくは下降しているのかに基づいて、又はそのスクロール速度の大きさに基づいて生成する。一実施形態では、触覚的効果は、持続時間が短く、新たな要素が選択される度に反復する。触覚的効果の大きさは、スクロール速度が上昇している場合、以前の触覚的効果に比べて減少される。同様に、触覚的効果の大きさは、スクロール速度が下降している場合、以前の触覚的効果に比べて増大される。別の実施形態では、触覚的効果の大きさは、その大きさが現在のスクロール速度に反比例することに基づく参照テーブルから求められる。スクロール速度が速くなるほど、大きさは小さくなり、またその逆も同様である。
【００１９】
一実施形態では、ユーザが、要素２０２のリストをスクロールしていくと、最終的にリストの終端に達する。この時点で、スクロールが停止し得るか又はリストがその先頭に戻り得る。一実施形態では、触覚的効果は、リスト内の最後の項目が選択されるか又はリストが先頭に戻ると生成され、その結果ユーザが非視覚的指示を受信する。この触覚的効果は、上記で開示されたような、リストの終端に位置していない項目の１つが選択されると生成される触覚的効果とは異なる。一実施形態では、リストの終端の触覚的効果は、持続時間、大きさ、周波数等の任意の組合せの変化によって異なる。
【００２０】
別の実施形態では、写真、ボール、パック等のような項目又は他のオブジェクトのリストをジェスチャを用いて「フリックする」ことができ、その結果リストが視覚的に動く。動く速度は、フリックの速度に応じて変わり得る。フリックされたオブジェクトは、リストの終端、壁、又は他の「ハードオブジェクト」のような仮想の停止点にぶつかると、視覚的にバウンスして反応する。一実施形態では、バウンスによって、対応する触覚的効果及びオプションで可聴出力が生じる。一実施形態では、触覚的効果は、最初は非常に強く（すなわち、大きさが大きい）、バウンスされているオブジェクトが静止するにつれて急速に大きさが減少するという特徴的なパラメータを有することになる。さらに、フリックされたオブジェクトが動きを止めて静止したことを確認するために、かすかな触覚的クリック、ポップ又はチック効果のような別の触覚的効果が生成され得る。
【００２１】
図４は、フリックされたオブジェクトに応答して、一実施形態による図１の電話機１０によって行われる機能のフロー図である。４０２において、プロセッサ１２は、フリックされたオブジェクトが壁、リストの終端等のような終点に達したという指示を受信する。４０４において、終点の指示に応答して、触覚的効果を生成する。一実施形態では、触覚的効果は、最初は大きい大きさを有し、次いでフリックされたオブジェクトが静止するにつれて急速に減少していく大きさを有するという点で動的である。
【００２２】
別の実施形態では、ユーザインタフェースは、スライダをシミュレートする。専門的音響及び産業用制御機器において見られる多数の物理的制御スライダがある。これらのスライダは概して、指先でスライダをドラッグすることによって制御される。スライダ制御機能の多くは、タッチスクリーンＵＩ内に組み込まれ得る。図５は、ボリュームを制御する仮想スライダ５０２を提供するタッチスクリーンのためのＵＩ５００である。ＵＩ５００は、仮想スライダ５０２の位置又は状態及び仮想スライダ５０２が制御しているパラメータに関する情報を提供する。スライダ５０２は、指又はカーソルによって操作され得る。他のＵＩは、上／下の向きに広がるか又はノブ若しくはハンドルのような回転式であり得るスライダを提供し得る。
【００２３】
ＵＩ５００は、最小設定及び最大設定を有し、一実施形態では、ボリュームが上がるにつれて増大する大きさ、及びボリュームが下がるにつれて減少する大きさを有する動的な触覚的効果が生成される。このタイプの触覚的効果は、増大／減少するパラメータの相対量（これがステレオシステムからの可聴音量であるか又は液体体積を管理する産業用流量制御システムに関してのような物理的体積であるかにかかわらず）を伝えるのに役立つ。加えて、スライダの終端停止点、中央位置、又は制御されるエンドユーザ用途に特有であり得るスライダにおける他の重要な位置（例えば、位置５０４及び５０６）として用いられ得るバンプ又はくぼみをシミュレートする位置の触覚的効果が生成され得る。
【００２４】
図６は、スライダの動きに応答して、一実施形態による図１の電話機１０によって行われる機能のフロー図である。６０２において、プロセッサ１２は、スライダが動いたという指示、及びパラメータ（例えば、ボリューム）が増大しているのか又は減少しているのかに関する指示を受信する。６０４において、パラメータの増大又は減少に応答して、増大若しくは減少する大きさ又は他のパラメータを有する動的な触覚的効果を生成する。
【００２５】
別の実施形態では、スライダ５０２は、オン／オフスイッチのような２つの静止位置又は限られた数の位置しか有しないトグル式のスライダである。この実施形態では、トグルスイッチによる（toggled）制御動作を確認する触覚的効果が生成される。さらに、２つ以上の明確に異なる触覚的効果は、スライダがオン／オフ、低速／中速／高速等のようないずれかの状態に置かれているのかをユーザに伝え得る。触覚的効果の差異は、多様な大きさ、周波数、持続時間又はこれらの３つのパラメータの任意の組合せによるものであり得る。
【００２６】
別の実施形態では、電話機１０が画面遷移中に触覚的効果を生成する。触覚的効果は、一実施形態では画面上に生じるあらゆる視覚的遷移と同期する。触覚的効果を生成し得る画面遷移の例には、画面上のコンテンツが回転する画面の向きの変更、コンテンツを、画面のフェード、画面のワイプ、ディゾルブ又は他のビデオ遷移技法によって新たなコンテンツと差し替えること、ウェブページ、画像又は文書等のようなコンテンツの拡大又は縮小、パニングのような視覚サイズの変更が挙げられる。一実施形態では、触覚的効果は画面遷移中に生成され、画面遷移が完了すると異なる触覚的効果が生成され得る。
【００２７】
別の実施形態では、ユーザが選択されたテキスト又は他の項目をタッチスクリーンを横切ってドラッグすると、触覚的効果は生成される。触覚的バンプ、ポップ又はチックは、ドラッグ中に生成され得る。個々の文字及び単語全体の選択の両方を確認するために、選択された文字毎にこの触覚的効果を再生することができ、また、単語全体が選択されると、異なった、おそらくはより強い効果を再生することができる。さらに、触覚的効果は、ドラッグ中に個々のオブジェクトがそれぞれ選択されると生成され得る。さらに、タッチスクリーンを横切ってオブジェクトをドラッグするか又は別様に指を動かす間に、画面の「表面」をシミュレートするように触覚的効果が生成され得る。例えば、画面がでこぼこの多い道路を表示している場合、指がでこぼこの多い道路を横切ってドラッグしているように感じられるように触覚的効果を生成することができる。
【００２８】
別の実施形態では、バンプ、ポップ又はチックのような触覚的効果は、ユーザが自身の指又はカーソルを単語、ファイル、ディレクトリ、画像、アイコン等のような多数のオブジェクトを横切ってクリック・ドラッグすると生成され得る。一実施形態では、触覚的効果は、ドラッグしながら個々のオブジェクトをそれぞれ集団から選択又は除外するときに生成されることになる。この選択方法は、ワンタッチ及びマルチタッチスクリーンの両方によって達成することができる。
【００２９】
別の実施形態では、バンプ、ポップ又はチックのような触覚的効果は、ユーザが単語を選択するのに自身の指をダブルタップするか又はカーソルをダブルクリックすると加えられ得る。この確認方法は、文全体又は段落全体を選択するのにトリプルタップするか又はトリプルクリックするときに用いられてもよい。
【００３０】
いくつかの実施形態では、ユーザは、電話機１０のようなデバイスが初期化し、コンテンツをダウンロードする等の間待機しなければならない。この間、Ｕｌと概して対話することができず、対話を試みるのに費やされる時間は一切無駄である。一実施形態では、触覚的効果は、デバイスがユーザを待機させるローディング／スタンバイ状態に入ったか又は該状態から出たことをユーザに知らせるように生成される。
【００３１】
一実施形態では、ＵＩが非応答である間の触覚的効果は、ＵＩが再び対話に利用可能になると単純に終わる、変化しない大きさ又は周波数を有する一定のかすかな効果である。別の実施形態では、触覚的効果は、システムがそのタスクの完了に向けて近付くにつれて大きさ及び／又は周波数が増大する動的な効果である。さらに、一実施形態では、ＵＩが再び利用可能になると、バンプ、ポップ又はチックのような別個の確認完了の触覚的効果が生成され得る。
【００３２】
別の実施形態では、タッチスクリーン１１上でのユーザからのジェスチャを用いて、デバイス１０によって既にロックされているコンテンツをロック解除することができる。デバイス１０は、所定のジェスチャがユーザによって入力されるとロック解除することができる。例えば、ジェスチャは、デバイス１０のメニューシステムをロック解除するパスワード又はパスコードとして機能することができる。所定のジェスチャの例は、旋回、スワイプ、押下／タップパターン又はこれらのジェスチャの任意の組合せを含む。
【００３３】
一実施形態では、ジェスチャに対応するか又はジェスチャの表現である触覚的効果が生成され、その結果ユーザはそのジェスチャを確認するか又は習得することができる。触覚的効果は、円を描くような指向性の動きをシミュレートするために、動的であることができ、またタッチスクリーン１１の個々の部分に一度に適用され得る。これは、特にジェスチャがパスコードの代わりであり且つデバイス１０にアクセスするにはユーザがそのジェスチャを記憶する必要があるときに価値がある。触覚的効果がなければ、スワイプ、旋回又はタップパターンのようなジェスチャは、ジェスチャの視覚的及び／又は聴覚的表現を用いて該ジェスチャを再生することによってレビュー／確認され得る。しかしながら、触覚的効果は、視覚的及び／又は聴覚的合図のみよりも、特にタッチスクリーン１１によって生成される指圧データパターンを含み得るジェスチャを用いる方が、ジェスチャパスコードを記憶するのにユーザを良好に助け得る。触覚的効果は、触覚的効果の振幅値を変えることによって指圧データを「シミュレートする」ことができる。触覚的効果は、自身のジェスチャパスコードを忘れてしまった可能性があるユーザのために生成することもできる、すなわち触覚的効果の再生は注意喚起としての機能を果たす。
【００３４】
別の実施形態では、ユーザジェスチャは、所望のメニュー又は機能に到達するための複数のステップを迂回するために「ホットキー」又はマクロとして用いられる。例えば、ユーザの指をタッチスクリーン１１上で時計回りに２回旋回させることは、ユーザが自宅に電話をかけること又はＳＭＳモバイルメッセージをタイプすることを望んでいることを示し得る。デバイス１０は次いで、本来はナビゲートされる必要がある標準的なメニュー選択を迂回してすぐにタスクを単純に開始する。上記のように、触覚的効果は、ユーザに対してジェスチャを確認するために又はユーザがジェスチャをレビューできるようにするために生成される。
【００３５】
開示されるように、ユーザインタフェースを有するデバイスが、ユーザ入力に対するフィードバックを提供するかデバイスの状態に関する情報を提供するために種々の触覚的効果を生成する。触覚的効果はデバイスの有用性を高める。
【００３６】
いくつかの実施形態が、本明細書において具体的に説明及び／又は記載されている。しかしながら、本発明の精神及び意図する範囲から逸脱することなく、改良形態及び変形形態が上記の教示により包含され、添付の特許請求の範囲内にあるものであることが理解されるであろう。
【図１】
2014199671.tif 000003
【図２】
2014199671.tif 000004
【図３】
2014199671.tif 000005
【図４】
2014199671.tif 000006
【図５】
2014199671.tif 000007
【図６】
2014199671.tif 000008
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
タッチスクリーンを有するデバイスを操作する方法であって、
前記デバイス上のジェスチャを記憶することを含み、そのジェスチャには前記タッチスクリーン上の指向性の動きに関連するユーザインタラクション（ユーザ対話）が含まれ、
前記ジェスチャをシミュレートする動的触覚的効果を前記デバイス上で生成することを含み、その動的触覚的効果は指向性の動きをシミュレートするために前記タッチスクリ−ンの異なる個々の部分に順次適用される、
方法。
【請求項２】
前記触覚的効果は、前記ジェスチャの変化した圧力部分をシミュレートするように動的に変化する大きさを有し、その変化した圧力部分は前記ジェスチャに関連する変化した指圧データパターンを含む、請求項１に記載の方法。
【請求項３】
前記ジェスチャは前記デバイスをロック解除する、請求項１に記載の方法。
【請求項４】
前記ジェスチャは前記デバイス上でタスクを開始する、請求項１に記載の方法。